(57)【要約】【課題】隣接する開閉蓋どうしの継ぎ目の密閉性を確保でしながら、各開閉蓋を個別に開閉操作できるようにする。【解決手段】内部に発光部を備えた照明ケース４と、照明ケース４の下方の照射開口部ｋに上下揺動操作によって開閉自在な状態にそれぞれ隣接させて配置された複数の開閉蓋３とを設け、開閉蓋３は、一端側を下方へ揺動させるに伴って他端側が上方へ揺動する状態にして照明ケース４に取り付けられている照明具であって、隣接する開閉蓋３どうしの継ぎ目Ｊに、両開閉蓋３の裏面端部にわたって載置自在な状態に帯板状の閉塞部材Ｃを設け、閉塞部材Ｃの上下移動を許容すると共に、閉塞部材Ｃの幅方向への移動と幅方向の傾斜とを阻止する姿勢保持手段Ｓが設けてある。【選択図】図３
2010199032.tif 000002
【特許請求の範囲】
【請求項１】
内部に発光部を備えた照明ケースと、
前記照明ケースの下方の照射開口部に上下揺動操作によって開閉自在な状態にそれぞれ隣接させて配置された複数の開閉蓋とを設け、
前記開閉蓋は、一端側を下方へ揺動させるに伴って他端側が上方へ揺動する状態にして前記照明ケースに取り付けられている照明具であって、
隣接する開閉蓋どうしの継ぎ目に、両開閉蓋の裏面端部にわたって載置自在な状態に帯板状の閉塞部材を設け、
前記閉塞部材の上下移動を許容すると共に、前記閉塞部材の幅方向への移動と幅方向の傾斜とを阻止する姿勢保持手段が設けてある照明具。
【請求項２】
前記閉塞部材における前記開閉蓋の一端側に相当する端部を、載置させた状態で支持する支持部が、前記照明ケースに設けてある請求項１に記載の照明具。
【発明の詳細な説明】
【技術分野】
【０００１】
本発明は、例えば、オフィス等の天井部に多数設置して、室内を明るく照明するのに使用できる照明具に関し、更に詳しくは、内部に発光部を備えた照明ケースと、前記照明ケースの下方の照射開口部に上下揺動操作によって開閉自在な状態にそれぞれ隣接させて配置された複数の開閉蓋とを設け、前記開閉蓋は、一端側を下方へ揺動させるに伴って他端側が上方へ揺動する状態にして前記照明ケースに取り付けられている照明具に関する。
但し、用途は、オフィス照明に限るものではない。
【背景技術】
【０００２】
従来、この種の照明具としては、それぞれの開閉蓋を別々に開閉操作できるようにするために、開閉蓋間に隙間をあけて開閉操作時に隣接する開閉蓋どうしが干渉しないように構成してあるものがあった（例えば、特許文献１参照）。
【先行技術文献】
【特許文献】
【０００３】
【特許文献１】特許第３９３７７９６号公報（図５）
【発明の概要】
【発明が解決しようとする課題】
【０００４】
上述した従来の照明具によれば、開閉蓋間に隙間があることで、例えば、その隙間から照明ケース内に虫や埃が侵入し、侵入物の影が開閉蓋に映ってしまう危険性があったり、更には、開閉蓋を通した拡散光に混ざって光源からの直接光が前記隙間を通して漏出してしまう危険性があった。その結果、照明具としての美観性を損ない易かった。
この問題点を解消するには、開閉蓋どうしの継ぎ目を、合い決り（あいじゃくり）構造として、それら隣接する開閉蓋の合い決り部分どうしが、閉状態で上下に重なることで密閉性の向上を図ることが考えられる。
しかし、この案の場合、図１１に示すように、開閉蓋３の合い決り部分２０どうしが当接しているから、例えば、任意の開閉蓋３を開操作する際、隣接した開閉蓋３も一緒に開方向に揺動する場合があり（図１１（ｂ）参照）、すべての開閉蓋３を個別に開閉操作することはできない。従って、一緒に揺動してしまう隣接開閉蓋３にも気を配りながらの開操作を実施しなければならなくなり、開操作が繁雑となり易い問題点がある。特に、高所での上向き作業の場合には、より繁雑な操作となり易い。
【０００５】
従って、本発明の目的は、上記問題点を解消し、隣接する開閉蓋どうしの継ぎ目の密閉性を確保でしながら、各開閉蓋を個別に開閉操作できる照明具を提供するところにある。
【課題を解決するための手段】
【０００６】
本発明の第１の特徴構成は、内部に発光部を備えた照明ケースと、前記照明ケースの下方の照射開口部に上下揺動操作によって開閉自在な状態にそれぞれ隣接させて配置された複数の開閉蓋とを設け、前記開閉蓋は、一端側を下方へ揺動させるに伴って他端側が上方へ揺動する状態にして前記照明ケースに取り付けられている照明具であって、隣接する開閉蓋どうしの継ぎ目に、両開閉蓋の裏面端部にわたって載置自在な状態に帯板状の閉塞部材を設け、前記閉塞部材の上下移動を許容すると共に、前記閉塞部材の幅方向への移動と幅方向の傾斜とを阻止する姿勢保持手段が設けてあるところにある。
【０００７】
本発明の第１の特徴構成によれば、閉状態においては、帯板状の閉塞部材が、両開閉蓋の裏面端部にわたって載置された状態に位置するから、開閉蓋どうしの継ぎ目の密閉を、この閉塞部材によって叶えることができる。
従って、開閉蓋どうしの継ぎ目構造は、従来のような合い決り構造をとらずに、単なる突き合わせ構造であっても、前記閉塞部材によって密閉状態を維持することができ、その結果、隣接する開閉蓋どうしが干渉しなくなり、個別に開閉操作を実施できるようになる。
また、継ぎ目で隣接する開閉蓋の一方を開操作するに伴って、その開閉蓋は、一端側が下方に揺動すると共に他端側が上方へ揺動するが、その開閉蓋の上に、一部が載置してある前記閉塞部材は、前記一方の開閉蓋の動きに追従して他端側が上方に持ち上げられる。その際、閉塞部材は、その幅の内の一方のみが開閉蓋によって持ち上げられるから、本来であれば不安定な状態になり易いが、前記姿勢保持手段によって、前記閉塞部材が幅方向に移動したり傾くのを阻止できるから、安定姿勢を維持でき、継ぎ目から落下するのを防止できる。よって、姿勢保持手段による閉塞部材の姿勢安定作用によって、閉塞部材は、載置対象の二つの開閉蓋の開閉動作に各別に安定した状態で追従でき、蓋の閉状態においては開閉蓋どおしの継ぎ目の閉塞をより確実に実施できるようになる。
以上の結果、隣接する開閉蓋どうしの継ぎ目の密閉性を確保できながら、各開閉蓋の開閉操作は、個別に実施できるようになる。
【０００８】
本発明の第２の特徴構成は、前記閉塞部材における前記開閉蓋の一端側に相当する端部を、載置させた状態で支持する支持部が、前記照明ケースに設けてあるところにある。
【０００９】
開閉蓋の開操作に伴ってその一端側は下方に揺動するから、開閉蓋の上に載置されている閉塞部材も、その動きに追従する。その場合、継ぎ目を挟んだ一方の開閉蓋が閉状態であれば、閉塞部材は、その開閉蓋の上に載置されたままで姿勢が安定するが、両方の開閉蓋が開状態となる場合には、閉塞部材は載置しているだけの支持構造であるから、
本発明の第２の特徴構成によれば、開閉蓋の開操作に伴ってその一端側は下方に揺動するが、それに対応する閉塞部材の端部は、前記支持部によって支持されるから、閉塞部材が開閉蓋に追従して長手方向に大きく傾斜することもなく、安定した姿勢を維持でき、開閉蓋の継ぎ目からずれ難い。
即ち、閉塞部材の支持構造を、前記開閉蓋の上に載置するだけの簡単な構造を採用できながら、継ぎ目を挟んだ両開閉蓋が開状態となって大きく傾くような場合には、前記支持部によって閉塞部材の一端部を支持でき、照明ケースから脱落するのを防止できる。
その結果、開閉蓋の閉状態のみならず、開状態においても、前記閉塞部材は照明ケース内に位置することができるから、下方にはみ出して開閉操作の障害になったり、照明具の美観性を低下させることがない。
即ち、開閉蓋の継ぎ目の密閉をより確実に果たせながら、適切な開閉操作性や、美観性の維持を図ることができる。
【図面の簡単な説明】
【００１０】
【図１】照明具の設置状況を示す斜視図
【図２】照明具の設置状況を示す横断面図
【図３】照明具の設置状況を示す切欠き斜視図
【図４】開閉蓋の開操作を示す横断面図
【図５】開閉蓋の開操作を示す横断面図
【図６】開閉蓋の開操作を示す横断面図
【図７】閉塞部材の動作を示す横断面図
【図８】閉塞部材の動作を示す横断面図
【図９】閉塞部材の動作を示す照明具側面視断面図
【図１０】別実施形態の照明具の横断面図
【図１１】従来の照明具における開閉蓋継ぎ目を示す断面図
【発明を実施するための形態】
【００１１】
以下に本発明の実施の形態を図面に基づいて説明する。尚、図面において従来例と同一の符号で表示した部分は、同一又は相当の部分を示している。
【００１２】
図１〜３は、本発明の照明具の一実施形態品を天井部分に設置してある状況を示すものである。
当該照明具１は、天井ボード２の表面より上方に入り込んだ状態に設置され、天井面に沿って長尺寸法のライン照明具として構成されている。
【００１３】
前記照明具１は、横断面形状が略矩形形状に構成してあり、開閉蓋３付きの照明ケース４と、その照明ケース４の中に備えた蛍光灯（発光部の一例）５とを設けて構成してある。尚、開閉蓋３は、照明具１の下方の照射開口部ｋに、上下揺動自在な状態に取り付けてあり、照射開口部ｋの閉状態で蛍光灯５からの光を下方へ透過できるように構成してある一方、開状態では、照明具１内部の点検や、前記蛍光灯５の着脱操作を実施できるように構成してある。
また、開閉蓋３は、ケース長手方向に複数分割されており、個別に開閉できるように構成されている。
隣接する開閉蓋３どうしの継ぎ目Ｊには、両開閉蓋３の裏面端部にわたって載置自在な状態に帯板状の閉塞部材Ｃが設けてある（図３参照）。
尚、この閉塞部材Ｃは、後述する姿勢保持手段Ｓによって、前記開閉蓋３の端部に載置した状態における上下移動や、幅方向への移動や、幅方向の傾斜が阻止されている。
【００１４】
前記照明ケース４は、図１に示すように、照明具１の横断面矩形形状の各辺部の内、左右の両側辺部４Ａ，４Ｂと上辺部４Ｃとを構成するもので、一連の金属板で形成されている。
前記左側の側辺部４Ａと、右側の側辺部４Ｂとの下端縁部には、それぞれ対向方向に突出させた突出端部４Ｄ，４Ｅが一体に設けられており、これら突出端部４Ｄ，４Ｅの先端部には、化粧用の金属製帯板４Ｄａ，４Ｅａが、それぞれ帯幅方向が縦になる状態でケース全長にわたって一体に設けられている。左側の帯板４Ｄａの上縁部は、前記開閉蓋３の左端部の掛止部３ａを載置自在な被掛止部となる。両帯板４Ｄａ，４Ｅａの外面側には、前記天井ボード２の端面が当接する納まりで設置されており、両帯板４Ｄａ，４Ｅａの下端部と、前記天井ボード２の下面とが略面一となる位置関係でそれぞれが設けられている。
【００１５】
前記左側の側辺部４Ａの内周部には、前記突出端部４Ｄの上方に平行な状態で突片金物４Ａａが一体に設けてある。
この突片金物４Ａａは、ケース長手方向に間隔をあけて複数個所に設けてあり、前記帯板４Ｄａとの間に、前記開閉蓋３の掛止部３ａが位置できる位置関係で設置され、開閉蓋３が浮き上がるのを防止できるように構成されている。
【００１６】
一方、前記右側の側辺部４Ｂの内周部には、前記突出端部４Ｅの上方に離間して平行な状態で、別の突片金物４Ｂａが一体に設けてあり、この突片金物４Ｂａに、連結部６を介して前記開閉蓋３が連結されている。この突片金物４Ｂａも、ケース長手方向に間隔をあけて複数個所に設けられている（図３参照）。
【００１７】
前記両側辺部４Ａ，４Ｂの内周部の内、開閉蓋３どうしの継ぎ目Ｊが位置する対応部には、図３に示すように、チャンネル部材７が縦配置にして取り付けられている。
このチャンネル部材７の溝部７ａ内に、前記閉塞部材Ｃの立ち上がり端部Ｃａを嵌合させておくことで、前記開閉蓋３の継ぎ目Ｊ上に載置されたに閉塞部材Ｃの姿勢安定を図ることができる。前記チャンネル部材７と前記立ち上がり端部Ｃａとで前記姿勢保持手段Ｓが構成されている。
また、図８に示すように、隣接する両開閉蓋３の左端部が共に下方へ揺動した開状態においては、その継ぎ目Ｊに位置する前記閉塞部材Ｃは、その左端部が前記左側の帯板４Ｄａ上に当接して支持される。前記左側の帯板４Ｄａは、本発明に係わる支持部Ｇに相当する。
【００１８】
前記開閉蓋３は、前述のとおり、蛍光灯５の光を透過できるように構成されており、当該実施形態においては、合成樹脂製の半透明板で構成されている。
開閉蓋３の幅寸法は、前記両帯板４Ｄａ，４Ｅａどうしの間隔寸法より若干長く設定してある。従って、開閉蓋３を閉操作すると、開閉蓋３の幅方向での両端側部分は、それぞれ両帯板４Ｄａ，４Ｅａの上に当接する状態となり、前記両帯板４Ｄａ，４Ｅａ間の照射開口部ｋをこの開閉蓋３で閉塞することができる。
一方、開閉蓋３の長手方向での端部は、図９に示すように、隣接する開閉蓋３との継ぎ目Ｊで双方が干渉しないように直線状に成形してある。従って、隣接する開閉蓋３どうしは、個別に開閉操作することができる。前記継ぎ目Ｊにおいては、両開閉蓋３の裏面端部にわたって帯板状の前記閉塞部材Ｃが載置自在な状態に設けてあり、両開閉蓋３の閉状態における継ぎ目Ｊの密閉を図っている。
【００１９】
また、開閉蓋３を開操作する時には、図４に示すように、蓋面に沿って開閉蓋３を前記連結部６側へスライドさせることで、開閉蓋３の前記掛止部３ａが帯板４Ｄａの上端部を乗り越え、帯板４Ｄａへの掛止を解除でき、それ以後、開閉蓋３を下方に揺動させて開くことができる。
開操作に伴う開閉蓋３の揺動は、前記掛止部３ａの側を下方へ揺動させるに伴って、他端部の連結部６の側が上方へ揺動する（図５，図６参照）。
【００２０】
尚、開閉蓋３の掛止部３ａ側の端部には、上述の掛止部３ａの係止解除に伴って不用意に開閉蓋３が下方へ揺動してしまわないように、安全機構が設けてある。
この安全機構は、具体的には、開閉蓋３の端部から前記側辺部４Ａ側にオーバーハングする状態（閉状態の開閉蓋３の端部から上方に屈曲して更に水平方向で側辺部４Ａ側に屈曲した状態）に設けられた掛止片３ｂで構成してある。従って、開閉蓋３を側辺部４Ｂ側にスライドさせて、上述のように掛止解除しても、次の段階で、前記掛止片３ｂが前記帯板４Ｄａ上に掛止し、開閉蓋３が一気に開くのを防止できる（図５参照）。
因みに、開閉蓋３に対する掛止片３ｂの取付位置は、開閉蓋３の側縁部で、突出端部４Ｄの上に被さる部分に設定してある。このことによって、蛍光灯５の光を遮り難いことと、閉状態の照明具１を下方から見上げた時に、掛止片３ｂが開閉蓋３を通して見え難いようにでき、機能性と美観性の維持を図ることができる。
【００２１】
前記開閉蓋３の前記掛止部３ａとは反対側の端部には、上述のように、連結部６が設けてあり、照明ケース４に対して開閉蓋３を揺動できるように連結してある。
前記連結部６は、図６に示すように、上下に連設した二つのヒンジＨを設けて構成してある。
上に配置された第１ヒンジＨ１は、前記突片金物４Ｂａの先端部にヒンジ軸を備えて構成されている。
前記第１ヒンジＨ１の下方に、第１支持片６ａを介して第２ヒンジＨ２のヒンジ軸が配置されている。
また、第２ヒンジＨ２と開閉蓋３とは、第２支持片６ｂを介して一体に連結されている。この第２支持片６ｂの開閉蓋３への取付個所は、前記掛止片３ｂの場合と同様に、開閉蓋３の側縁部で突出端部４Ｅの上に被さる部分に設定されており、蛍光灯５の光を遮り難くすると共に、下方から当該照明具１を見上げた際の美観性の維持を図れるように配慮されている。
また、当該連結部６は、各ヒンジＨ１，Ｈ２と各支持片６ａ，６ｂとを備えて構成してあり、ヒンジ軸周りの回転は許容するものの、例えば、図１に示すように、開閉蓋３に対して上方に浮き上がらせる力が作用する場合は、それを阻止する抗力を発揮でき、開閉蓋３が浮き上がるのを防止できる。
【００２２】
前記閉塞部材Ｃは、前記開閉蓋３と同一材料によって構成してあり、図３に示すように、継ぎ目Ｊを挟んで位置する両開閉蓋３の上面端部に当接して継ぎ目の閉塞を図る帯状の閉塞部Ｃｂと、その閉塞部Ｃｂの両端部から上方に立ち上がった立ち上がり端部Ｃａとを備えて構成してある。閉塞部材Ｃの幅寸法は、前記チャンネル部材７の溝部７ａに内嵌する値として設定してあり、チャンネル部材７の溝側部によって立ち上がり端部Ｃａの両側縁部を拘束することで、閉塞部材Ｃの上下移動を許容しながら幅方向に沿って移動したり、傾斜したりすることを阻止している。
また、閉塞部材Ｃの長さ寸法は、前記開閉蓋３の幅寸法とほぼ同じとなるように設定してある。
【００２３】
次に、当該照明具１の開閉蓋３の開閉操作と、閉塞部材Ｃの動きについて説明する。
［１］  継ぎ目Ｊにおける両開閉蓋３の閉状態においては、両開閉蓋３の上面端部間にわたって閉塞部材Ｃが載置状態となっている（図２参照）。そして、前記チャンネル部材７と立ち上がり端部Ｃａとの嵌合によって、閉塞部材Ｃの横移動や転倒が防止されている。
［２］  そして、閉状態の開閉蓋３の内、一方の開閉蓋３を、蓋面に沿って前記連結部６側にスライドさせて、前記掛止部３ａの掛止を解除する（図４参照）。この状態で手を放しても、開閉蓋３の裏面側に位置する掛止片３ｂが、左側の帯板４Ｄａの上縁部に引っ掛かり、即座に下方に揺動することは無い（図５参照）。
また、開閉蓋３のスライドに伴っては、前記第１ヒンジＨ１と第２ヒンジＨ２とが軸芯周りに回転することで落下の無い状態でスライドを許容している。
［３］  更に、開閉蓋３を連結部６側にスライドさせて掛止片３ｂの掛止状態も解除すると、開閉蓋３を下方へ揺動させて開くことができる（図６参照）。この揺動時においても、開閉蓋３は、前記両ヒンジＨによって揺動自在に支持されているから、落下の危険がない。
また、その開閉蓋３の動きに閉塞部材Ｃが追従して、右端部側は上方に持ち上がる。左端部側は、閉状態の他方の開閉蓋３の上面に載置された状態となっている（図７参照）。この状態においても、前記チャンネル部材７と立ち上がり端部Ｃａとの嵌合によって、閉塞部材Ｃの横移動や転倒が防止されている。
［４］  また、もう一方の閉状態の開閉蓋３も開操作すると、その開閉蓋３の動きに閉塞部材Ｃが追従して、右端部側は、上方に持ち上げられた状態を維持し、左端部側は、照明ケース４の左側の帯板４Ｄａ上端に載置された状態で支持される（図８参照）。そして、立ち上がり端部Ｃａは、チャンネル部材７に嵌合して、閉塞部材Ｃの姿勢安定が図られている。
［５］  開閉蓋３を閉める時は、上述の手順を逆手順で実施することで簡単に閉めることができる。
【００２４】
本実施形態の照明具１によれば、隣接する開閉蓋３どうしの継ぎ目Ｊ上に、閉塞部材を配置するだけの簡単な設置構造を採用できながら、継ぎ目Ｊの密閉性の確保と、各開閉蓋３の開閉操作を、個別に自由に実施できるようになる。
また、継ぎ目Ｊにおける閉塞部材Ｃの露出や転落を防止できることから、適切な開閉操作性や、美観性の維持を図ることができる。
【００２５】
〔別実施形態〕
以下に他の実施の形態を説明する。
【００２６】
〈１〉  当該照明具１は、先の実施形態で説明した形状や素材に限るものではなく、適宜変更することが可能である。例えば、発光部５は、蛍光灯に限らず、他の発光手段であってもよい。また、開閉蓋３や閉塞部材Ｃは、合成樹脂製の半透明板で構成してあるものに限らず、例えば、各種板ガラス等であったり、金属板に透光孔を設けたものであってもよい。
〈２〉  前記連結部６は、先の実施形態で説明した二つのヒンジを備えて構成したものに限るものではなく、例えば、一つのヒンジを備えたものであったり（図１０参照）、三つ以上のヒンジを備えた構成であってもよい。
また、ヒンジの構成に関しては、先の実施形態で説明したように、ヒンジ軸を備えた構成のものに限らず、例えば、合成樹脂の帯体の一部を薄肉に形成して、その薄肉部の可撓性を利用して揺動を許容できるように構成したものもヒンジとして含むものである。
また、必ずしも、上述のようなヒンジを備えておく必要はなく、照明ケース４と開閉蓋３とを、例えば、合成樹脂の可撓ベルト等で連結するものであったり、金属板バネや、他のバネ材で連結するものであってもよく、それらを含めて連結部６と総称する。
要するに、連結部６は、開閉蓋３の一端側を下方へ揺動させるに伴って他端側が上方へ揺動する状態に前記照明ケース４に開閉蓋３を取り付ける構造であればよい。
〈３〉  前記姿勢保持手段Ｓは、先の実施形態で説明した構成に限るものではなく、適宜変更することが可能である。従って、先の実施形態のように、閉塞部材Ｃの両端側に姿勢保持手段Ｓをそれぞれ設けてあることに限らず、例えば、何れか一方のみに設けてあってもよい。要するに、姿勢保持手段Ｓは、閉塞部材Ｃの上下移動を許容すると共に、閉塞部材Ｃの幅方向への移動と幅方向の傾斜とを阻止するものであればよい。
【００２７】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２８】
３      開閉蓋
４      照明ケース
５      蛍光灯（発光部の一例）
Ｊ      継ぎ目
Ｃ      閉塞部材
Ｇ      支持部
ｋ      照射開口部
Ｓ      姿勢保持手段
【図１】
2010199032.tif 000003
【図２】
2010199032.tif 000004
【図３】
2010199032.tif 000005
【図４】
2010199032.tif 000006
【図５】
2010199032.tif 000007
【図６】
2010199032.tif 000008
【図７】
2010199032.tif 000009
【図８】
2010199032.tif 000010
【図９】
2010199032.tif 000011
【図１０】
2010199032.tif 000012
【図１１】
2010199032.tif 000013